(57)【要約】【課題】電子機器の梱包箱において、電子機器を収容し易く、コストダウンが容易で、かつ箱強度を高める。【解決手段】内底フラップ６を複数回折り曲げて、筒状の下側緩衝部１０を形成し、内天フラップ８を複数回折り曲げて筒状の上側緩衝部１１を形成する。下側緩衝部１０、上側緩衝部１１の側面の一部を筒の内側に折り曲げて電子機器２を嵌合支持する凹部１２、１３を形成する。下側緩衝部１０と上側緩衝部１１とは互いに面接触し、その先端部に短側面板４を補強する下側補強板１４、上側補強板１５が設けられる。短側面板４から内側に折り曲げられた折曲手掛部１８が下側補強板１４に設けられている折曲当接部２０と隙間なく当接され、下側緩衝部１０が折り曲げられた状態で維持されると共に、梱包箱１の内部に埃等が侵入することを防止する。【選択図】図２
2005255228.tif 000002
【特許請求の範囲】
【請求項１】
梱包箱の側面を形成する４つの側面板と、
この４つの側面板のうち、対向する１組の側面板の下辺に連設され、梱包箱の底面をなす１対の外底フラップと、
前記４つの側面板のうち、対向する他の組の側面板の下辺に連設され、前記外底フラップの内側に折り曲げられる１対の内底フラップと、
この４つの側面板のうち、対向する１組の側面板の上辺に連設され、梱包箱の天面をなす１対の外天フラップと、
前記４つの側面板のうち、対向する他の組の側面板の上辺に連設され、前記外天フラップの内側に折り曲げられる１対の内天フラップとを備え、
前記内底フラップは、前記側面板の下辺から該フラップの先端にかけて複数回折り曲げられることにより、筒状の下側緩衝部を形成し、
前記内天フラップは、前記側面板の上辺から該フラップの先端にかけて複数回折り曲げられることにより、筒状の上側緩衝部を形成し、
この下側緩衝部及び上側緩衝部は、その側面の一部が筒の内側に折り曲げられることにより電機機器を嵌合支持する凹部を有する電子機器の梱包箱において、
前記下側緩衝部は、前記内底フラップが連設されている側面板に沿う位置に、該側面板の下部を補強する下側補強板を有し、
前記上側緩衝部は、前記内天フラップが連設されている側面板に沿う位置に、該側面板の上部を補強する上側補強板を有し、
前記下側緩衝部と上側緩衝部とは、梱包箱の高さ方向の略中央で面接触し、前記下側補強板及び上側補強板によって前記内底フラップ及び内天フラップが連設されている側面板が下辺から上辺に亘って補強され、
前記上側緩衝部は、前記凹部を形成する側面の一部が前記上側補強板に向って延長され、その先端が該上側補強板に当接されており、
前記側面板は、前記下側補強板と対向する位置に、梱包箱に手を掛けるための手掛孔を形成するために、その上端を支点として内側に折り曲げられる折曲手掛部を有し、
前記下側補強板は、前記折曲手掛部に対応する位置に、該折曲手掛部が挿通される挿通孔と、該折曲手掛部の先端近傍の下端を支点として内側に折り曲げられて、該折曲手掛部と当接する折曲当接部とを有し、
前記下側緩衝部の凹部は、前記挿通孔に挿通された折曲手掛部を梱包箱の内側から臨ませるための開口を有し、
前記挿通孔に挿通された折曲手掛部と前記折曲当接部の先端とが当接することにより、前記下側緩衝部が折り曲げられた状態で維持され、かつ、前記折曲手掛部及び折曲当接部によって前記挿通孔を塞ぐことを特徴とする電子機器の梱包箱。
【請求項２】
梱包箱の側面を形成する４つの側面板と、
この４つの側面板のうち、対向する１組の側面板の下辺に連設され、梱包箱の底面をなす１対の外底フラップと、
前記４つの側面板のうち、対向する他の組の側面板の下辺に連設され、前記外底フラップの内側に折り曲げられる１対の内底フラップと、
この４つの側面板のうち、対向する１組の側面板の上辺に連設され、梱包箱の天面をなす１対の外天フラップと、
前記４つの側面板のうち、対向する他の組の側面板の上辺に連設され、前記外天フラップの内側に折り曲げられる１対の内天フラップとを備え、
前記内底フラップは、前記側面板の下辺から該フラップの先端にかけて複数回折り曲げられることにより、筒状の下側緩衝部を形成し、
前記内天フラップは、前記側面板の上辺から該フラップの先端にかけて複数回折り曲げられることにより、筒状の上側緩衝部を形成し、
この下側緩衝部及び上側緩衝部は、その側面の一部が内側に折り曲げられることにより電機機器を嵌合支持する凹部を有する電子機器の梱包箱において、
前記下側緩衝部は、前記内底フラップが連設されている側面板に沿う位置に、該側面板の下部を補強する下側補強板を有し、
前記側面板は、前記下側補強板と対向する位置に、梱包箱を持上げるための手掛孔を形成するために、内側に折り曲げられる折曲手掛部を有し、
前記下側補強板は、前記折曲手掛部に対応する位置に、該折曲手掛部が挿通される挿通孔と、該折曲手掛部の先端近傍から内側に折り曲げられて、該折曲手掛部と当接する折曲当接部とを有し、
前記挿通孔に挿通された折曲手掛部と前記折曲当接部の先端とが当接することにより、前記下側緩衝部が折り曲げられた状態で維持され、かつ、前記折曲手掛部及び折曲当接部によって前記挿通孔を塞ぐことを特徴とする電子機器の梱包箱。
【請求項３】
前記下側緩衝部の凹部は、前記挿通孔に挿通された折曲手掛部を梱包箱の内側から臨ませるための開口を有していることを特徴とする請求項２の電子機器。
【発明の詳細な説明】
【技術分野】
【０００１】
本発明は、電子機器を梱包し、衝撃から保護する梱包容器、特に比較的薄型で軽量の電子機器を梱包するのに適した梱包箱に関するものである。
【背景技術】
【０００２】
従来から段ボール紙によって成る電子機器の梱包箱においては、隅部に配置された発泡ポリスチレン等の発泡樹脂から成る緩衝材によって電子機器を支持することにより、輸送時の衝撃から機器を保護していた。このような発泡樹脂から成る緩衝材は、使用後の廃棄の際、環境上の問題を有している。そこで、電子機器を衝撃から保護するための緩衝部を梱包箱本体と同等の素材（段ボール紙）によって形成するようにして、上述した問題の解決を図った梱包箱が提案されている（例えば、特許文献１参照）。
【０００３】
また、梱包箱の側面に手掛孔を形成するための舌片を緩衝材と隙間なく当接させるようにした梱包箱が知られている（例えば、特許文献２参照）。さらに、内箱と外箱によって構成され、側面に手掛孔を形成するための切起片の係合によって内箱と外箱を結合するようにした梱包箱が知られている（例えば、特許文献３参照）。
【特許文献１】特開平６−２２２１９号公報
【特許文献２】特開２０００−３４４２２９号公報
【特許文献３】特開平１１−３５０２９号公報
【発明の開示】
【発明が解決しようとする課題】
【０００４】
しかしながら、特許文献１に示された梱包箱にあっては、梱包箱本体とは別に段ボール紙から成る緩衝部を作成しなければならないので、梱包箱のコストダウンを図ることができない。また、梱包箱の持ち運びを容易なものとするために、側面に手掛孔を設けた場合、この手掛孔から箱内に埃や昆虫等が侵入し、電子機器の商品価値を下げる虞がある。
【０００５】
また、特許文献２、３に示された梱包箱にあっては、梱包箱の本体に電子機器に加えられる衝撃を緩衝する機能を有していないので、発泡ポリスチレンによって形成された緩衝材が別途必要となり、梱包箱のコストが高騰するばかりか、上述した環境上の問題を回避することができない。
【０００６】
本発明は、上記課題を解決するためになされたものであり、箱内に埃等が侵入する虞がなく、低コストで環境にも優しい電子機器の梱包箱を提供することを目的とする。
【課題を解決するための手段】
【０００７】
上記目的を達成するために請求項１の発明は、梱包箱の側面を形成する４つの側面板と、この４つの側面板のうち、対向する１組の側面板の下辺に連設され、梱包箱の底面をなす１対の外底フラップと、４つの側面板のうち、対向する他の組の側面板の下辺に連設され、外底フラップの内側に折り曲げられる１対の内底フラップと、この４つの側面板のうち、対向する１組の側面板の上辺に連設され、梱包箱の天面をなす１対の外天フラップと、４つの側面板のうち、対向する他の組の側面板の上辺に連設され、外天フラップの内側に折り曲げられる１対の内天フラップとを備え、内底フラップは、側面板の下辺から該フラップの先端にかけて複数回折り曲げられることにより、筒状の下側緩衝部を形成し、内天フラップは、側面板の上辺から該フラップの先端にかけて複数回折り曲げられることにより、筒状の上側緩衝部を形成し、この下側緩衝部及び上側緩衝部は、その側面の一部が筒の内側に折り曲げられることにより電機機器を嵌合支持する凹部を有する電子機器の梱包箱において、下側緩衝部は、内底フラップが連設されている側面板に沿う位置に、該側面板の下部を補強する下側補強板を有し、上側緩衝部は、内天フラップが連設されている側面板に沿う位置に、該側面板の上部を補強する上側補強板を有し、下側緩衝部と上側緩衝部とは、梱包箱の高さ方向の略中央で面接触し、下側補強板及び上側補強板によって内底フラップ及び内天フラップが連設されている側面板が下辺から上辺に亘って補強され、上側緩衝部は、凹部を形成する側面の一部が上側補強板に向って延長され、その先端が該上側補強板に当接されており、側面板は、下側補強板と対向する位置に、梱包箱に手を掛けるための手掛孔を形成するために、その上端を支点として内側に折り曲げられる折曲手掛部を有し、下側補強板は、折曲手掛部に対応する位置に、該折曲手掛部が挿通される挿通孔と、該折曲手掛部の先端近傍の下端を支点として内側に折り曲げられて、該折曲手掛部と当接する折曲当接部とを有し、下側緩衝部の凹部は、挿通孔に挿通された折曲手掛部を梱包箱の内側から臨ませるための開口を有し、挿通孔に挿通された折曲手掛部と折曲当接部の先端とが当接することにより、下側緩衝部が折り曲げられた状態で維持され、かつ、折曲手掛部及び折曲当接部によって挿通孔を塞ぐものである。
【０００８】
請求項２の発明は、梱包箱の側面を形成する４つの側面板と、この４つの側面板のうち、対向する１組の側面板の下辺に連設され、梱包箱の底面をなす１対の外底フラップと、４つの側面板のうち、対向する他の組の側面板の下辺に連設され、外底フラップの内側に折り曲げられる１対の内底フラップと、この４つの側面板のうち、対向する１組の側面板の上辺に連設され、梱包箱の天面をなす１対の外天フラップと、４つの側面板のうち、対向する他の組の側面板の上辺に連設され、外天フラップの内側に折り曲げられる１対の内天フラップとを備え、内底フラップは、側面板の下辺から該フラップの先端にかけて複数回折り曲げられることにより、筒状の下側緩衝部を形成し、内天フラップは、側面板の上辺から該フラップの先端にかけて複数回折り曲げられることにより、筒状の上側緩衝部を形成し、この下側緩衝部及び上側緩衝部は、その側面の一部が内側に折り曲げられることにより電機機器を嵌合支持する凹部を有する電子機器の梱包箱において、下側緩衝部は、内底フラップが連設されている側面板に沿う位置に、該側面板の下部を補強する下側補強板を有し、側面板は、下側補強板と対向する位置に、梱包箱を持上げるための手掛孔を形成するために、内側に折り曲げられる折曲手掛部を有し、下側補強板は、折曲手掛部に対応する位置に、該折曲手掛部が挿通される挿通孔と、該折曲手掛部の先端近傍から内側に折り曲げられて、該折曲手掛部と当接する折曲当接部とを有し、挿通孔に挿通された折曲手掛部と折曲当接部の先端とが当接することにより、下側緩衝部が折り曲げられた状態で維持され、かつ、折曲手掛部及び折曲当接部によって挿通孔を塞ぐものである。
【０００９】
請求項３の発明は、請求項２に記載の電子機器の梱包箱において、下側緩衝部の凹部は、挿通孔に挿通された折曲手掛部を梱包箱の内側から臨ませるための開口を有しているものである。
【発明の効果】
【００１０】
請求項１の発明によれば、内底フラップ及び内天フラップによって下側緩衝部及び上側緩衝部が形成されるので、発泡ポリスチレン等による緩衝材を用いる必要がなくなり、低コストで梱包箱を製造することができ、かつ環境上の問題も生じない。また、このとき、折曲当接部が折曲手掛部に当接することにより、下側緩衝部が折り曲げられた状態で維持されるので、電子機器の収容が容易に行なえるようになる。また、下側緩衝部を折り曲げた状態で維持するための折曲手掛部を内側に折り曲げることにより側面板に手掛孔が形成されるので、手掛孔を別途設ける必要がなくなり、梱包箱の外観品質の向上を図ることが
できる。さらに、下側緩衝部の凹部に設けられた開口から挿通孔に挿通された折曲手掛部を梱包箱の外側に向って軽く押圧することにより、折曲当接部と折曲手掛部とによって挿通孔を塞ぐことができるので、挿通孔から埃や昆虫が侵入して、電子機器の商品価値を下げる虞もない。また、下側緩衝部と上側緩衝部が梱包箱の高さ方向の略中央で面接触し、下側補強板及び上側補強板によって側面板が下辺から上辺に亘って補強されるので、側面板の強度を高めることができる。
【００１１】
請求項２の発明によれば、内底フラップ及び内天フラップによって下側緩衝部及び上側緩衝部が形成されるので、発泡ポリスチレン等による緩衝材を用いる必要がなくなり、低コストで梱包箱を製造することができ、かつ環境上の問題も生じない。また、このとき、折曲当接部が折曲手掛部に当接することにより、下側緩衝部が折り曲げられた状態で維持されるので、電子機器の収容が容易に行なえるようになる。また、下側緩衝部を折り曲げた状態で維持するための折曲手掛部を内側に折り曲げることにより側面板に手掛孔が形成されるので、手掛孔を別途設ける必要がなくなり、梱包箱の外観品質の向上を図ることができる。
【００１２】
請求項３の発明によれば、下側緩衝部の凹部に設けられた開口から挿通孔に挿通された折曲手掛部を梱包箱の外側に向って軽く押圧することにより、折曲当接部と折曲手掛部とによって挿通孔を塞ぐことができるので、挿通孔から埃や昆虫が侵入して、電子機器の商品価値を下げる虞もない。
【発明を実施するための最良の形態】
【００１３】
本発明を実施するための最良の実施形態による電子機器の梱包箱について図面を参照して説明する。図１は梱包箱の外観を、図２は梱包箱の短側面周辺の断面を、図３は、梱包箱の組み立て前の展開図をそれぞれ示している。なお、同展開図において、実線はカッタによって切り出されるカット線を示し、破線は段ボール紙を折り曲げるための折曲基準線を示し、ハッチングはカッタによって切り抜かれた領域を示している。
【００１４】
梱包箱１は、ＤＶＤ（Digital Versatile Disk)プレーヤ等の比較的薄型で軽量の電子機器２を収容し、衝撃等から保護するために、段ボール紙等を折り曲げることにより形成された緩衝部一体型のカートンボックスである。梱包箱１は、４つの側面を形成する１対の長側面板３及び短側面板４と、長側面板３の下辺に連設され、梱包箱１の底面をなす１対の外底フラップ５と、短側面板４の下辺に連設され、外底フラップ５の内側に折り曲げられる１対の内底フラップ６と、長側面板３の上辺に連設され、梱包箱１の天面をなす１対の外天フラップ７と、短側面板４の上辺に連設され、外天フラップ７の内側に折り曲げられる１対の内天フラップ８等によって構成されている。
【００１５】
内底フラップ６は、図２（ａ）に示されるように、短側面板４の下辺からフラップの先端にかけて複数回折り曲げられることにより、断面が略正方形の筒状の下側緩衝部１０を形成する。同様に、内天フラップ８は、短側面板４の上辺からフラップの先端にかけて複数回折り曲げられることにより、断面が略正方形の筒状の上側緩衝部１１を形成する。下側緩衝部１０及び上側緩衝部１１の側面の中央部は、図２（ｂ）に示されるように、筒の内側に折り曲げられることにより電子機器２を嵌合支持するための凹部１２、１３を形成する。下側緩衝部１０の凹部１２には、図２（ｃ）に示されるように、後述する折曲手掛部１８を梱包箱１の内側から臨ませるための開口３３が形成されている。
【００１６】
下側緩衝部１０は、その先端部に短側面板４の下部を補強するための下側補強板１４を有している。下側補強板１４は、短側面板４の下部と面接触しており、短側面板４に掛かる荷重を分散することにより同部分を補強する。同様に、上側緩衝部１１は、その先端部に短側面板４の上部と面接触し、短側面板４の上部を補強する上側補強板１５を有している。下側緩衝部１０と上側緩衝部１１とは、梱包箱１の高さ方向の中央部２７，２８で互いに面接触し、上下方向の荷重を分散する。また、下側補強板１４及び上側補強板１５によって短側面板４が下辺から上辺に亘って補強される。
【００１７】
上側緩衝部１１は、凹部１３を形成する側面から上側補強板１５に向って突設された突張部１６を有しており、突張部１６の先端が上側補強板１５の側面に当接されている。
【００１８】
短側面板４の下側補強板１４と対向する位置には、搬送時に梱包箱１に手を掛けるための手掛孔１７を形成するために、手掛孔１７の上端縁とされる折曲基準線３０を支点として内側に折り曲げられる折曲手掛部１８が設けられている。一方、下側補強板１４において折曲手掛部１８に対応する位置には、折り曲げられた折曲手掛部１８が挿通・嵌合される挿通孔１９が形成されている。そして、挿通孔１９の下端縁から折曲基準線３１を支点として内側に軽く折り曲げられて、折曲手掛部１８の側面と当接する折曲当接部２０が形成されている。折曲手掛部１８及び挿通孔１９は、搬送の際に作業者が複数本の指先を掛けるのに適するように、扁平な（すなわち上下方向に短い）矩形状とされている。これに対して、下側緩衝部１０は折り曲げられた部分が元に戻ろうとして下側補強板１４が上方に移動しようとするので、折曲手掛部１８と挿通孔１９との嵌合が解かれる虞がある。そこで、本実施形態では、折曲当接部２０の先端を折曲手掛部１８の側面に梱包箱１の外側から当接させて、下側補強板１４が上方に移動しないようにしている。
【００１９】
図１（ｂ）及び図２（ｃ）に示すように、折曲手掛部１８が挿通孔１９に嵌合されると共に、折曲当接部２０の先端が折曲手掛部１８の側面に当接することにより、電子機器２を梱包箱１に収容する際、下側緩衝部１０が折り曲げられた状態で維持されることになる。また、凹部１２、１３の両端に位置される両端当接部２３、２４（図３及び図４参照）は、電子機器の側面と略平行になるように折り曲げられることにより、電子機器２の側面に面接触可能とされ、電子機器２の損傷を防止する。
【００２０】
次に、梱包箱１を用いた電子機器２の梱包作業について、図２乃至図４を参照して説明する。まず、図４（ａ）に示すように、内底フラップ６を折り曲げ基準線２１（図３参照）に沿って複数回折り曲げることにより、下側緩衝部１０が形成される。このとき、折り曲げ基準線２２を逆向きに折り曲げることにより、下側緩衝部１０の側面に凹部１２を形成することができる。そして、折曲手掛部１８を内側に位置されている挿通孔１９に押し込むことにより、折曲手掛部１８の先端が折曲当接部２０を乗り越えて折曲当接部２０より内側に位置される。その後、開口３３から折曲手掛部１８を軽く梱包箱１の外側に向って押圧することにより、折曲当接部２０の先端が折曲手掛部１８の側面に隙間なく当接し、下側補強板１４が固定され、下側緩衝部１０が折り曲げられた状態で維持される。
【００２１】
その後、２つの外底フラップ５を矢印Ｄ方向に折り曲げて両者を固定することにより、図４（ｂ）に示すように、電子機器２を収容可能な状態とすることができる。そして、電子機器２は矢印Ｅ方向に収容され、凹部１２及び両端当接部２３が電子機器２に当接して電子機器２を嵌合支持する。その後、図４（ｃ）に示すように、内天フラップ８を内底フラップ６と同様に、折り曲げ基準線２５、２６に沿って複数回折り曲げることにより、上側緩衝部１１が形成され、上側緩衝部１１を矢印Ｆ方向に押圧して電子機器２と短側面板４との隙間に挿入すると、図１に示す状態にすることができる。そして、２つの外天フラップ７を内側に折り曲げて両者をテープ等で固定すれば、電子機器２の梱包が完了する。
【００２２】
以上のように、本実施形態の梱包箱１によれば、内底フラップ６及び内天フラップ８によって下側緩衝部１０及び上側緩衝部１１が形成されるので、電子機器２を衝撃から保護するために発泡ポリスチレン等による緩衝材を用いる必要がなくなり、低コストで梱包箱１を製造することができ、かつ環境上の問題も生じない。また、折曲当接部２０が折曲手掛部１８に当接することにより、下側補強板１４が固定され下側緩衝部１０が折り曲げられた状態で維持されるので、電子機器２の収容が容易に行なえるようになる。
【００２３】
さらに、下側緩衝部１０の凹部１２に設けられた開口３３から挿通孔１９に挿通された折曲手掛部１８を梱包箱１の外側に向って軽く押圧することにより、折曲当接部２０と折曲手掛部１８とを隙間なく当接させて挿通孔１９を塞ぐことができるので、挿通孔１９から埃や昆虫が侵入して、電子機器２の商品価値を下げる虞もない。また、下側緩衝部１０と上側緩衝部１１が梱包箱１の高さ方向の略中央で面接触し、下側補強板１４及び上側補強板１５によって側面板４が下辺から上辺に亘って補強されるので、側面板４の強度を高めることができる。また、下側緩衝部１０及び上側緩衝部１１を有するにも関わらず、図３に示すような略矩形の展開形状から梱包箱を形成すること可能であるので、１枚の段ボール紙から複数個の梱包箱１を量産する際に、無駄な端切れをなくして梱包箱１のコストダウンを図ることができる。さらに、上側緩衝部１１の凹部１３から突設された突張部１６の先端が上側補強板１５に当接されているので、短側面板４に略直交する方向に加えられた荷重を分散でき、短側面板４の強度を一層高めることができる。
【００２４】
なお、本発明は上記実施形態の構成に限られることなく種々の変形が可能である。例えば、梱包箱１においては、外底フラップ５及び内底フラップ６の奥行き寸法Ｌ（図３参照）は略同等とするのが、１枚の段ボール紙から複数個の梱包箱１を量産する上で最も望ましい設計とされるが、これらの寸法Ｌは、梱包箱１及び電子機器２の諸元に応じて適宜設定することができる。また、下側緩衝部１０及び上側緩衝部１１を形成する内底フラップ６及び内天フラップ８は、長側面板３に連設されていてもよい。この場合は、外底フラップ５及び外天フラップ７は短側面板４の下辺及び上辺に連設するように設ければよい。
【図面の簡単な説明】
【００２５】
【図１】（ａ）は本発明の一実施形態による梱包箱の構造を示す斜視図、（ｂ）はその要部を拡大した図。
【図２】（ａ）は図１（ａ）におけるＡ−Ａ線断面図、（ｂ）は同Ｂ−Ｂ線断面図、（ｃ）は同Ｃ−Ｃ線断面図。
【図３】同梱包箱の展開図。
【図４】（ａ）は下側緩衝部が形成された状態の梱包箱、（ｂ）は電子機器が収容される状態の梱包箱、（ｃ）は上側緩衝部を形成している状態の梱包箱。
【符号の説明】
【００２６】
１    梱包箱
２    電子機器
３    長側面
４    短側面
５    外底フラップ
６    内底フラップ
７    外天フラップ
８    内天フラップ
１０    下側緩衝部
１１    上側緩衝部
１２    凹部
１３    凹部
１４    下側補強板
１５    上側補強板
１７    手掛孔
１８    折曲手掛部
１９    挿通孔
２０    折曲当接部
３３    開口
【図１】
2005255228.tif 000003
【図２】
2005255228.tif 000004
【図３】
2005255228.tif 000005
【図４】
2005255228.tif 000006